(57)【要約】      （修正有）【課題】自分の意思で姿勢を自由に変えられる介護用ベッドを提供する。【解決手段】ベッド本体が、上下二つのフレーム２、３から構成され、それぞれ独立分離させて移動可能となるようにそれぞれの下部には複数のキャスターを取り付け、上方のフレーム２には、両脚の膝の関節の裏側が当たるようにベッドの幅方向に長いバー状の上下可動部４を少なくとも一側からアームによって上下動可能となるように支持し、下方のフレーム３の、両脚の膝の関節の裏側が位置するあたりに上記上下可動部が納まる収納部１０を設け、上記上下両フレームをそれぞれ高さの調節および傾斜可能となるように底部に上下動装置８および駆動機構９を取り付け、さらに、上記上方フレームの先部に厚めのシート１５の一端から所定量を巻いたロール１６を着脱可能に取り付け、このシートの他端を上記上下可動部に巻き付け、ロールおよび上下可動部の端部にシートの巻き付け巻き戻しを行う。【選択図】図１
2006314690.tif 000002
【特許請求の範囲】
【請求項１】
ベッド本体が、略腰部から上端部までのフレームと下端部までのフレームの上下二つのフレームから構成され、それぞれ独立分離させて移動可能となるようにそれぞれの下部には複数のキャスターを取り付け、上方のフレームには、両脚の膝の関節の裏側が当たるようにベッドの幅方向に長いバー状の上下可動部を少なくとも一側からアームによって上下動可能となるように支持し、下方のフレームの、両脚の膝の関節の裏側が位置するあたりに上記上下可動部が納まる収納部を設け、上記上下両フレームをそれぞれ高さの調節および傾斜可能となるように底部に上下動装置および駆動機構を取り付け、さらに、上記上方フレームの先部に厚めのシートの一端から所定量を巻いたロールを着脱可能に取り付け、このシートの他端を上記上下可動部に巻き付け、ロールおよび上下可動部の端部にシートの巻き付け巻き戻しを行う駆動源を取り付けたことを特徴とする介護用ベッド。
【発明の詳細な説明】
【技術分野】
【０００１】
本発明は、要介護人、病人等が用いることができる介護可能な介護用ベッドに関する。
【背景技術】
【０００２】
従来の介護可能なベッドは、被介護者の上半身を起きあがらせた状態で支持するために被介護者の背部を受ける背受け部を起伏自在としたものが提案されている（例えば、特許文献１）。
【特許文献１】特開２００４−５７６８１号公報
【発明の開示】
【発明が解決しようとする課題】
【０００３】
しかしながら、ベッド上の被介護者が例えば便所へ行くためにベッドから降りたり、食事をするために脚をおろして椅子に座る姿勢をとるようなことを介護者の手を借りることなく行うことができないという問題がある。
本発明は、上記の問題点を解決するためになされたもので、被介護者がベッドから降りたり椅子に座る姿勢をとることができるようにしたベッドを提供することを目的とする。
【課題を解決するための手段】
【０００４】
そこで本発明は、ベッド本体が、略腰部から上端部までのフレームと下端部までのフレームの上下二つのフレームから構成され、それぞれ独立分離させて移動可能となるようにそれぞれの下部には複数のキャスターを取り付け、上方のフレームには、両脚の膝の関節の裏側が当たるようにベッドの幅方向に長いバー状の上下可動部を少なくとも一側からアームによって上下動可能となるように支持し、下方のフレームの、両脚の膝の関節の裏側が位置するあたりに上記上下可動部が納まる収納部を設け、上記上下両フレームをそれぞれ高さの調節および傾斜可能となるように底部に上下動装置および駆動機構を取り付け、さらに、上記上方フレームの先端もしくは先端部の表裏の一方に厚めのシートの一端から所定量を巻いたロールを着脱可能に取り付け、このシートの他端を上記上下可動部に巻き付け、ロールおよび上下可動部の端部にシートの巻き付け巻き戻しを行う駆動源を取り付けたことを特徴とする。
【発明の効果】
【０００５】
これにより、本発明は、ベッド上で生活をしている被介護者であっても、自分一人で随時にベッドから降りたり椅子に座った姿勢をとることができ、さらには、車椅子に移動することもできるという効果が得られる。
【発明を実施するための最良の形態】
【０００６】
以下に、図面を参照して本発明の実施例を説明する。
図１は実施例を示す説明図、図２〜図８は本発明の作動状態を示す説明図である。
図において、１はベッド本体であり、前後二つの上フレーム２と下フレーム３から構成され、略腰部から上半身を支える上フレーム２と腰部から下半身を支える下フレーム３とからなり、それぞれ独立分離させて移動可能となるようにそれぞれの下部には複数のキャスターが取り付けてある。
【０００７】
前記上フレーム２には、両脚の膝の関節の裏側が当たるようにベッドの幅方向に長いバー状の上下可動部４をその両側もしくは一側を回動可能に腕５で支え、その腕５の他端を後述する如く、回動可能にモータやシリンダー等の駆動機構９に連結支持してある。
前記上フレーム２上のマットは頭側が上昇するように腰側がフレームに回動可能にマット自体もしくはマット支持枠（以下、マット６という。）が回動支持されている。
【０００８】
さらに、このようにした上フレーム２は、モータやシリンダ機構等の駆動装置１４によって駆動されるパンタグラフ機構等の上下動装置８によって上下動可能に支持されている。さらに、前記上フレーム２上のマット６は頭側が上昇してマットが傾斜するようにフレームに回動可能に支持されており、自動的に回動できるように例えばモータ等によって回動するリンク機構や図示する如くシリンダ機構等の駆動機構１１によって支持されている。
【０００９】
なお、図示しないが、この上フレーム２のマット６の両側は必要に応じて肘掛部となるようにそれぞれ独立して回動可能にしておくとよい。さらに、これを自動的に回動できるようにするには、例えばそれぞれモータによって回動するリンク機構やシリンダ機構等の回動機構によって支持すればよい。
前記上下可動部４は膝の裏を支えることができるようにしてあり、この上下可動部４は下フレーム３のマット７に設けた溝状の収納部１０に納まるようになっている。
【００１０】
この上下可動部４の一端もしくは両端は、上記の如く、上フレーム２に一端を取り付けたモータやシリンダ等の駆動機構１１によって駆動するリンク機構等による腕５の他端に回動可能に支持されている。したがって、この上下可動部４は上フレーム２の移動に伴って一体に移動することになる。
上下可動部４のこのような構造によると、駆動機構９を駆動することによって、上下可動部４は、腕５の伸縮（回動）によって、その回転支点を中心にした円弧運動による上下動を行うことになり、駆動機構９の駆動を停止することによって上下可動部４を所望の位置（角度）で止めることができることになる。これによって、寝た状態のときは膝を立てたり、さらには腰部を持ち上げたりすることができる。
【００１１】
また、上下可動部４は、腕５に回転可能に軸支されており、全体が回転可能となっている。
さらに、このようにした下フレーム３も、モータやシリンダ機構等の駆動装置１４によって駆動されるパンタグラフ機構等の上下動装置１２によって上下動可能に支持されている。さらに、前記下フレーム３上のマット自体もしくはマットの支持枠（以下、マット７という。）は足側の端部が下降してマットが傾斜するように下フレームに回動可能に支持されており、その支持状態は、自動的に回動できるように例えばモータ等によって回動するリンク機構や図示する如くシリンダ機構等の駆動機構１３によって支持されている。
【００１２】
このようにしたベッド本体１の上フレーム２の先端もしくは先端部の表裏の一個所に、延びの少ない織りおよび材質でできているシート１５の一端を所定量巻いたロール１６を着脱可能に取り付け、このシート１５の他端を上記上下可動部４に巻き付けておき、この上下可動部４が上記収納部１０に納まってベッド本体１の通常の平坦時にはしわができない程度の張り具合になるように巻いてある。
【００１３】
このロール１６および上下可動部４の端部には図示しないが、シート１５を巻き取ったり巻き戻したりするモータがそれぞれ設けてある。
また、前記各移動、各回動の動作および電磁石への通電等の操作は、図示しない手元に導いてある操作部のボタンを操作することによって利用者が作動させることができるようになっている。
【００１４】
なお、上記フレーム２および３は、通常時は互いに接合端部で当接して接合しているもので、どちらか一方のフレームの接合端部の両側にフックやスライドバー等の係止具を設けておき、他方のフレームにフックに係合する係止突起やスライドバーの先部が挿入する係止穴を形成して係止具の係脱を可能にしてある。
さらに、フレーム２および３の接合時の位置合わせが容易なように、図に示す如く、上フレーム２の接合端部にストッパ１７が設けてあり、移動した下フレーム３を戻すときに位置が定まるようにしてある。
【００１５】
また、上記説明および図面では省略したが、両フレームの両側には、通常の介護用ベッドと同様に枠が着脱可能に取り付けられるようになっている。
以下に上記の構成の作用を説明する。
通常時は、図１に示す如く、一般のベッドと同様に平坦な状態であり、通常の睡眠姿勢で被介護者は寝ることができる状態である。このとき、ロール１６と上下可動部４とにそれぞれ巻き付けられているシート１５の上に被介護者は位置していることになる。
【００１６】
つぎに、介護者が被介護者に対して着替え等の介護作業を行うような場合には、介護者の背の高さに合わせて通常の寝ている状態より高くしたほうが作業性がよくしかも介護者の膝や腰の負担がない。そこで、図２に示す如く、駆動装置を駆動して上下動装置８により上フレーム２のマット６および下フレーム３のマット７を上昇させて所望の高さにして作業を行う。
【００１７】
つぎに、被介護者は、一定の寝ている姿勢ばかりでなく違った姿勢を取りたいときがある。そのときは、例えば図３に示す如く、マット６を所望角度起こして被介護者の身体が少し起きあがった姿勢にすることができる。
つぎに、被介護者のおむつや寝具を交換するような場合、図４に示す如く、駆動機構１１によって腕５を駆動して上下可動部４を上げることにより、上下可動部４によって膝の裏側を持ち上げて膝を立てることができる。
【００１８】
さらに持ち上げて下半身を浮かせるような状態にして腰の部分をベッド面から浮かすことができる。そこで、上下可動部４もしくはロール１６のモータを駆動してシート１５を巻き戻すことによってシート１５をたるませて下半身との間に隙間を形成し、これによっておむつや寝具の交換が可能となり、また、差込み便器を挿入使用することができる。
つぎに、被介護者が食事をしたりお茶を飲んだりするような場合等において、椅子に座った姿勢になることを要求することがある。この場合は、上記と同様に操作部により駆動機構９によって腕５を駆動して上下可動部４を上げることにより、図５に示す如く、上下可動部４によって膝の裏側を持ち上げて下半身を浮かせるような状態に上げ、被介護者の腰の部分をベッド面から浮かす。この状態で、図６に示す如く、下フレーム３を上フレーム２から引き出すように側方に移動させると、シート１５上に支えられた被介護者は下フレーム３から離すことができる。
【００１９】
そこで、図７に示す如く、操作部により駆動機構１３を操作してマット６を椅子の背もたれとなるように所望の角度に起立させると共に駆動機構１１を作動させて上下可動部４を椅子の座の先端部となるように床と略平行となる位置に下げる。それに伴ってシート１５を巻き付けたロール１６および上下可動部４のモータを駆動してシート１５で椅子の座を形成する。この姿勢で、食事やデスクワークを行うことができる。
【００２０】
さらに、この姿勢から図８に示す如く、シート１５を巻き付けたロール１６および上下可動部４のモータを駆動してシート１５を延ばし、駆動機構１１を作動させて上下可動部４を床面にまで下げると、被介護者はシート１５から降りてはいずりながらベッドから離れて所望の場所に移動することができる。
なお、ロール１６および上下可動部４を着脱可能にしておくと、車椅子をシート１５による椅子の下に位置させ、シート１５上に被介護者を載せた状態で車椅子に移動させることができ、また、ポータブルトイレを利用させることができる。
【００２１】
つぎに、上記の椅子に座った姿勢からベッドに寝る姿勢に戻すには、上記と逆の作業を行えばよく、椅子に座った状態からフレーム２および上下可動部４を水平に戻し、それに伴ってシート１５を水平に張って被介護者の姿勢を寝た姿勢にし、下フレーム３を戻して上フレーム２と合わせることによって終了する。
なお、ベッド本体上で寝る姿勢に戻す作業は上記に限るものではなく、ベッド本体に移動可動部３を戻してから水平状態に戻す作業を行ってもよく、また、直ちに水平状態にせず上記各姿勢にしてもよい。
【図面の簡単な説明】
【００２２】
【図１】実施例を示す説明図
【図２】作動状態を示す説明図
【図３】作動状態を示す説明図
【図４】作動状態を示す説明図
【図５】作動状態を示す説明図
【図６】作動状態を示す説明図
【図７】作動状態を示す説明図
【図８】作動状態を示す説明図
【符号の説明】
【００２３】
１  ベッド本体
２  上フレーム
３  下フレーム
４  上下可動部
５  腕
６  マット
７  マット
８  上下動装置
９  駆動機構
１０  収納部
１１  駆動機構
１２  上下動装置
１３  駆動機構
１４  駆動装置
１５  シート
１６  ロール
１７  ストッパ
【図１】
2006314690.tif 000003
【図２】
2006314690.tif 000004
【図３】
2006314690.tif 000005
【図４】
2006314690.tif 000006
【図５】
2006314690.tif 000007
【図６】
2006314690.tif 000008
【図７】
2006314690.tif 000009
【図８】
2006314690.tif 000010